(57)【要約】    【課題】  読書灯、スタンド、及び一般的なランプ機能を遂行し、かつ多様な角度調節及び長さ調節が可能にすると共に、多様なモバイル製品に使われるバッテリーに充電できるようにした携帯用電灯の提供を課題とする。    【解決手段】  上記携帯用電灯は、電源を供給し、ランプの作動を制御する電源及び制御部と、上記電源及び制御部に回動可能に連結されたガイド及び回動本体と、上記ガイド及び回動本体にスライディング可能に挿入されるスライド組立部と、上記スライド組立部の一側端に装着されるランプ部と、を含むことを特徴とする。    【選択図】  図１
2009512155.tif 000002
【特許請求の範囲】
【請求項１】
電源を供給し、ランプの作動を制御する電源及び制御部５０と、
前記電源及び制御部５０に回動可能に連結されたガイド及び回動本体３０と、
前記ガイド及び回動本体３０にスライディング可能に挿入されるスライド組立部１０と、
前記スライド組立部１０の一側端に装着されるランプ部７０と、
を含むことを特徴とする携帯用電灯。
【請求項２】
前記電源及び制御部５０は、
回動軸を挿入するために、一側端に軸挿入部５３が一体で形成されたバッテリー収容部５５と、
前記バッテリー収容部５５に隣接して設置される駆動部９５と、
前記駆動部９５に連結されてランプの作動をオン／オフするためのランプ作動スイッチ８０と、
前記バッテリー収容部５５及び前記駆動部９５を密閉させるためにそれらにスライディング方式により分解可能に結合される蓋５１と、
を含むことを特徴とする請求項１記載の携帯用電灯。
【請求項３】
前記バッテリー収容部５５に隣接して充電部９０をさらに含み、前記充電部９０には外部に連通される充電用ポート９１が連結されることを特徴とする請求項２記載の携帯用電灯。
【請求項４】
前記ガイド及び回動本体３０は、
ガイドのために下方に突出したガイド凸部３９を具備し、前記ガイド凸部３９の縦方向の両側に離隔して一対のスリット３８が形成されており、前記スリット３８の間の前記ガイド凸部３９の底面にはストッパ３９１が一体で形成されているガイド板３７と、
前記ガイド板３７の一側端に一体型で離隔して形成され、内側壁に凹溝３３が形成された一対の回動凸部３１と、
前記軸挿入部５３に挿入され、環状リング８６を媒介にして前記一対の回動凸部３１の間に回動結合される回動軸８５と、
を含むことを特徴とする請求項２または請求項３記載の携帯用電灯。
【請求項５】
前記スライド組立部１０は、
前記ガイド及び回動本体３０のガイド凸部３９に対応する平らなガイド凹部１５と前記ガイド凹部１５の一側に離隔して形成された一対の耳部１３を含み、前記一対の耳部１３の間にランプ安着部１２０が一体で形成され、前記各々の耳部１３とランプ安着部１２０との間には結合溝１１３が形成され、前記ランプ安着部１２０の中央には回動長孔１７が形成され、前記ガイド凹部１５の上部面には多数の半円型凸部１９が形成された本体１１と、
前記本体１１に結合されるように対応する構造で形成され、前記耳部１３の周辺に形成された結合溝１１３に挿入されて結合されるように前記蓋１２の一側に結合凸部１１５が一体で形成された蓋１２と、
を含むことを特徴とする請求項４記載の携帯用電灯。
【請求項６】
前記ランプ部７０は、
後面にボス７７が一体で形成され、両側には第１回動固定片７８１が形成されたランプ収容本体７１と、
前記ランプ収容本体７１の内部に内蔵される回路基板７９と、
前記回路基板７９に装着される少なくとも一つ以上の多数のＬＥＤ７３と、
前記ランプ収容本体７１の前面に結合されて装着され、両側には第２回動固定片７８３が一体で形成されたレンズ７５と、
を含むことを特徴とする請求項５記載の携帯用電灯。
【請求項７】
前記ランプ部７０のボス７７が前記ランプ安着部１２０の回動長孔１７に回動可能に挿入されるように、前記ボス７７の両側には溝７７３が形成され、前記回動長孔１７の両側内壁には多数の半円型凸部１７３が形成されることを特徴とする請求項６記載の携帯用電灯。
【請求項８】
前記多数のＬＥＤ７３から放出される光をさらに拡散させるために、前記レンズ７５の内面に長く延びて多数の溝７４をさらに形成することを特徴とする請求項６記載の携帯用電灯。
【請求項９】
前記レンズ７５の表面をエッチングまたは研磨処理することを特徴とする請求項６記載の携帯用電灯。
【請求項１０】
一側端の両側に結合ホール５２５が各々形成された一対のヒンジ凸部５２０が一体で形成され、前記一対のヒンジ凸部５２０の間には補助ストッパ５３０が付着され、バッテリー収容部、駆動部、ランプ作動スイッチ、及び蓋を具備する電源及び制御部５００と、
前記電源及び制御部５００に回動可能に連結されたガイド及び回動本体３００と、
ガイドのために下方に突出したガイド凸部を具備し、前記ガイド凸部の縦方向の両側に離隔して一対のスリットが形成されており、前記スリットの間の前記ガイド凸部の底面にはストッパが一体で形成されているガイド板３２０と、その一側壁に環状溝３３５が形成されており、その外周面に前記補助ストッパ５３０が受容される回動制限溝３３３が形成され、前記環状溝３３５に環状リング５７０が挿入される回動部３３０を具備するガイド及び回動本体３００と、
前記電源及び制御部５００に前記ガイド及び回動本体３００を回動可能に結合させるために、前記ヒンジ凸部５２０の結合ホール５２５を通じて前記回動部３２０まで挿入される結合掛止具５５０と、
前記ガイド及び回動本体３００のガイド凸部に対応する平らなガイド凹部１５と前記ガイド凹部１５の一側に離隔して形成された一対の耳部１３を含み、前記一対の耳部１３の間にランプ安着部１２０が一体で形成され、前記各々の耳部１３とランプ安着部１２０との間には結合溝１１３が形成され、前記ランプ安着部１２０の中央には回動長孔１７が形成され、前記ガイド凹部１５の上部面には多数の半円型凸部１９が形成された本体１１と、前記本体１１に結合されるように対応する構造で形成され、前記耳部１３の周辺に形成された結合溝１１３に挿入されて結合されるように前記蓋１２の一側に結合凸部１１５が一体で形成された蓋１２とを具備するスライド組立部１０と、
前記スライド組立部１０の一対の耳部１３の間に装着されるランプ部７０と、
を含むことを特徴とする携帯用電灯。
【請求項１１】
前記結合掛止具５５０は中空部を有し、前記結合掛止具５５０、前記ヒンジ凸部５２０、及び前記回動部３３０を貫通させて首輪６００を装着することを特徴とする請求項１０記載の携帯用電灯。
【発明の詳細な説明】
【技術分野】
【０００１】
本発明は、携帯用電灯に関し、より詳しくは、読書灯、スタンド、及び一般的なランプ機能を遂行し、かつ多様な角度調節及び長さ調節が可能にすると共に、多様なモバイル製品に使われるバッテリーに充電できるようにした携帯用電灯に関する。
【背景技術】
【０００２】
一般に、携帯用電灯は、本体の内側にバッテリーが内蔵され、上記本体の前方には内側に電球が装着された前面カバーが分離可能に結合され、上記前面カバーにはガラスが装着され、上記本体にはバッテリーから電球へ印加される電源をオン・オフさせるスイッチが結合された構造となっている。
【０００３】
そして、最近は既存の携帯用電灯方式が本体の内側にバッテリーを取り付けて使用する方式の他に、バッテリーの外側に携帯用電灯に付加設置して使用する方式が提案されている。即ち、既存のバッテリーの端子部の上部に一対のジャッキを設置し、上記ジャッキと連繋された支持台の上部から電灯が照射される構成が提案されたことがある。
【０００４】
したがって、通常的に、携帯用電灯の中で、比較的体積が大きい携帯用電灯に適用される６Ｖバッテリーの場合、バッテリーの自体荷重と大きさが既存の乾電池と異なり、大きくて重く設定されるので、バッテリー自体を取り付けさせず、既存のバッテリーの上部に携帯用電灯の構成物などを接続させて使用する方式がたくさん提案されている実状である。
【０００５】
このような一般的な構造の以外に、本に装着して、明るい状態で便利に読書することができる読書灯構造、ランプの方向を自由に調節できるスタンド、及び携帯が簡便な電灯のように、多様に改良された技術がたくさん公知されている。
【０００６】
例えば、大韓民国実用新案公報公告番号実１９８８−０００２１０９号（特許文献１）には"携帯用読書スタンド"が開示されている。上記の技術は、電灯部と乾電池収納箱が装着された基体を連結台にて連結し、かつ回動折部により回動されるようにした通常のスタンドにおいて、基体の前方３面を取り囲むように形成したＵ字形状の本挟持干を基体の後方両端部に延設し、かつその連結部の近接した外側に形成させた折曲部を基点にして本挟持干が下方に傾斜するように折り曲げられたことを特徴とする携帯用読書スタンドに関するものである。
【０００７】
しかしながら、上記電灯は光の照射角が狭くて電灯を用いて本を読むには不便な問題点があった。
【０００８】
もう一つの技術として、大韓民国公開実用新案公報第１９８７−１０５０９号（特許文献２）には"充電式携帯用電灯"が開示されている。上記技術は、充電式携帯用電灯のケースの内部にコード線を入れることができる収蔵室を形成し、バッテリーには中間と一側に各々気泡排出口を有する弾性ゴム製のバルブが付着された充電式携帯用電灯に関するものである。
【０００９】
しかしながら、上記電灯も光の照射角が狭くて電灯を用いて本を読むには不便な問題点があった。
【００１０】
また、大韓民国登録実用新案公報第２０−０３８３３３２号（特許文献３）には"発光ダイオードを用いた携帯用読書電灯"が開示されている。上記の技術は、発光ダイオードを用いた携帯用読書電灯は、照明外箱、照明用基板、多数の発光ダイオード、散乱板、透明窓、プレキシブルチューブ、電源部、電源スイッチ、点滅スイッチ、外部電源連結部、外箱、クリップから構成されており、多数個の発光ダイオードを一列で配置し、光透過窓に光散乱板を作って光の照射角が広くて、本に刺すことができるクリップを作って、読書をすることに容易であり、光透過窓を色がある透過窓に変えることができるようにして、異なる色の照明を作ることができ、携帯電話の電源と連結できるジャッキを設置して、携帯電話の電源で点灯させることができるので、場所に拘わらず、使用することができ、点滅機能を用いて危急状況や非常状況を他人に知らせることができる。
【００１１】
しかしながら、上記の技術は、プレキシブルチューブなどを使用するため、復原力が発生されて、その一定位置調整の維持が困難であり、その全体的なサイズが大きくなって、携帯に不便さがあった。
【００１２】
上記のような関連技術の他にも、大韓民国実用新案公開第１９９２−００１２５４８号（特許文献４）には"携帯用照明装置"が開示されており、大韓民国実用新案公開第１９９２−００１５３１１号（特許文献５）には"携帯用照明装置"が開示されており、大韓民国実用新案公開第１９９４−００２５１４５号（特許文献６）には"携帯用電灯"が開示されている。
【００１３】
本発明者は、上記のような従来技術の不便さに基づいて、コンパクトで、かつ多様な機能を有する携帯用電灯に対する研究を続けて発明することになった。
【００１４】
【特許文献１】大韓民国実用新案公報公告番号実１９８８−０００２１０９号
【００１５】
【特許文献２】大韓民国公開実用新案公報第１９８７−１０５０９号
【００１６】
【特許文献３】大韓民国登録実用新案公報第２０−０３８３３３２号
【００１７】
【特許文献４】大韓民国実用新案公開第１９９２−００１２５４８号
【００１８】
【特許文献５】大韓民国実用新案公開第１９９２−００１５３１１号
【００１９】
【特許文献６】大韓民国実用新案公開第１９９４−００２５１４５号
【発明の開示】
【発明が解決しようとする課題】
【００２０】
本発明の目的は、上記のような問題点を解決するために案出したものであって、使用者の要求に従い光を放出するＬＥＤが装着された照明部の角度を上下に自由に調節できるようにした携帯用電灯を提供することにある。
【００２１】
本発明の他の目的は、ＬＥＤが装着されたケースを本体に対してスライディングできるようにすることで、長さを多段に自由に調節できるようにした携帯用電灯を提供することにある。
【００２２】
本発明の更に他の目的は、照明部と本体をフォルダ型で製作して多様な角度で折畳するか、広げることができるようにした携帯用電灯を提供することにある。
【００２３】
本発明の更なる他の目的は、照明部の光発散を最大にし、眩しさを防止できるようにした携帯用電灯を提供することにある。
【００２４】
本発明の更にまた他の目的は、一般バッテリーを使用するか、同時に充電をして使用することができるようにした携帯用電灯を提供することにある。
【００２５】
本発明の更にまた他の目的は、多様なモバイル製品に充電することができ、上記モバイル製品から充電を受けることができるようにした携帯用電灯を提供することにある。
【課題を解決するための手段】
【００２６】
上記のような目的を達成するために、本発明に係る携帯用電灯は、電源を供給し、ランプの作動を制御する電源及び制御部と、上記電源及び制御部に回動可能に連結されたガイド及び回動本体と、上記ガイド及び回動本体にスライディング可能に挿入されるスライド組立部と、上記スライド組立部の一側端に装着されるランプ部と、を含むことを特徴とする。
【００２７】
上記電源及び制御部は、回動軸を挿入するために、一側端に軸挿入部が一体で形成されたバッテリー収容部と、上記バッテリー収容部に隣接して設置される駆動部と、上記駆動部に連結されてランプの作動をオン／オフするためのランプ作動スイッチと、上記バッテリー収容部及び上記駆動部を密閉させるためにそれらにスライディング方式により分解可能に結合される蓋と、を含むことを特徴とする。
【００２８】
上記バッテリー収容部に隣接して充電部をさらに含み、上記充電部には外部に連通される充電用ポートが連結されることを特徴とする。
【００２９】
上記ガイド及び回動本体は、ガイドのために下方に突出したガイド凸部を具備し、上記ガイド凸部の縦方向の両側に離隔して一対のスリットが形成されており、上記スリットの間の上記ガイド凸部の底面にはストッパが一体で形成されているガイド板と、上記ガイド板の一側端に一体型で離隔して形成され、内側壁に凹溝が形成された一対の回動凸部と、上記軸挿入部に挿入され、環状リングを媒介にして上記一対の回動凸部の間に回動結合される回動軸と、を含むことを特徴とする。
【００３０】
上記スライド組立部は、上記ガイド及び回動本体のガイド凸部に対応する平らなガイド凹部と上記ガイド凹部の一側に離隔して形成された一対の耳部を含み、上記一対の耳部の間にランプ安着部が一体で形成され、上記各々の耳部とランプ安着部との間には結合溝が形成され、上記ランプ安着部の中央には回動長孔が形成され、上記ガイド凹部の上部面には多数の半円型凸部が形成された本体と、上記本体に結合されるように対応する構造で形成され、上記耳部の周辺に形成された結合溝に挿入されて結合されるように上記蓋の一側に結合凸部が一体で形成された蓋と、を含むことを特徴とする。
【００３１】
上記ランプ部は、後面にボスが一体で形成され、両側には第１回動固定片が形成されたランプ収容本体と、上記ランプ収容本体の内部に内蔵される回路基板と、上記回路基板に装着される少なくとも一つ以上の多数のＬＥＤと、上記ランプ収容本体の前面に結合されて装着され、両側には第２回動固定片が一体で形成されたレンズと、を含むことを特徴とする。
【００３２】
上記ランプ部のボスが上記ランプ安着部の回動長孔に回動可能に挿入されるように、上記ボスの両側には溝が形成され、上記回動長孔の両側の内壁には一つ以上の多数の半円型凸部が形成されることを特徴とする。
【００３３】
ＬＥＤから放出される光をさらに拡散させるために、上記レンズの内面に長く延びて多数の溝をさらに形成することを特徴とする。
【００３４】
上記レンズの表面をエッチングまたは研磨処理することを特徴とする。
【発明の効果】
【００３５】
本発明の携帯用電灯によると、第１に、使用者の要求に従い光を放出するＬＥＤが装着された照明部の角度を上下に自由に調節することができる。
【００３６】
第２に、ＬＥＤが装着されたケースを本体に対してスライディングできるようにすることで、長さを多段に自由に調節することができ、収納が容易である。
【００３７】
第３に、照明部と本体をフォルダ型で製作して多様な角度で折畳んだり広げることができる。
【００３８】
第４に、照明部の光発散を最大にして眩しさを防止できるようにし、一般バッテリーを使用するか、同時に充電をして使用することができる。
【００３９】
第５に、多様なモバイル製品に充電することができ、上記モバイル製品から充電を受けることができる長所がある。
【発明を実施するための最良の形態】
【００４０】
以下、添付した図面を参照しながら本発明に係る携帯用電灯について詳細に説明する。本発明の目的及び構成上の特徴は添付された図面及び以下に記述される本発明の詳細で、かつ望ましい実施形態の説明により明確になる。また、図面において、互いに同一乃至類似な部分は、説明及び理解の便宜上、同一乃至類似な参照符号で記載されている点に留意しなければならない。
【００４１】
図１は本発明に係る携帯用電灯の前面斜視図であり、図２は図１の後面斜視図である。  
【００４２】
図１及び図２に示すように、本発明に係る携帯用電灯は、電源及び制御部５０、電源及び制御部５０に回動可能に連結されたガイド及び回動本体３０、ガイド及び回動本体３０にスライディング可能に挿入されるスライド組立部１０、及びスライド組立部１０の上段に装着されるランプ部７０を含む。
【００４３】
ランプ部７０は、後面にボス７７が一体で形成されたランプ収容本体７１、ランプ収容本体７１の内部に内蔵される回路基板７９、回路基板７９に装着される一つ以上の多数のＬＥＤ７３、ランプ収容本体７１の前面に結合されて装着されるレンズ７５を含む。
【００４４】
この際、レンズ７５はプラスチック材質であって、エッチングや研磨により薄暗く表面を処理して眩しさを防止できるようにする。  
【００４５】
また、ランプ部７０は、スライド組立部１０に対して角度を調節できる構成を有するが、これに対する具体的な説明は下記に説明する。  
【００４６】
電源及び制御部５０の一側にはランプ作動スイッチ８０が設置される。
【００４７】
図３は、本発明に係る携帯用電灯の分解斜視図である。  
【００４８】
図３を参照して本発明に係る携帯用電灯の構成について具体的に説明すると、次の通りである。
【００４９】
電源及び制御部５０は、バッテリーを受容するためのバッテリー収容部５５とバッテリー収容部５５を覆う蓋５１とを含む。蓋５１は、バッテリー収容部５５に安着した後、スライディング方式により締結及び分解される。バッテリー収容部５５の一側端には回動軸８５を挿入するための軸挿入部５３が一体で形成されており、電源及び制御部５０の内部面には読書用クリップ８３が設置されている。
【００５０】
電源及び制御部５０にはガイド及び回動本体３０が回動可能に設置される。  
【００５１】
ガイド及び回動本体３０は、平らなガイド板３７とガイド板３７の一側端に一体型で形成される一対の回動凸部３１を含む。
【００５２】
ガイド板３７は、ガイドのために下方に突出したガイド凸部３９を具備し、ガイド凸部３９の縦方向の両側に離隔して一対のスリット３８が形成されており、スリット３８の間のガイド凸部３９の底面にはストッパ３９１が一体で形成されている。  
【００５３】
この際、一対のスリット３８はガイド凸部３９に弾性力を提供するためのものであって、ストッパ３９１が円滑にスライディングできるようにする。
【００５４】
一対の回動凸部３１は離隔して形成され、内側壁に凹溝３３が形成されており、軸挿入部５３に挿入される回動軸８５と環状リング８６により回動可能に結合される。  
【００５５】
したがって、ガイド及び回動本体３０は、回動凸部３１と回動軸８５により電源及び制御部５０に回動可能に装着されるものである。
【００５６】
スライド組立部１０は、ガイド及び回動本体３０に挿入される構造を有する。スライド組立部１０は、本体１１と上記本体を覆う蓋１２を含み、本体１１と蓋１２との間に空間が提供されて、ガイド及び回動本体３０のガイド板３７が挿入されるものである。
【００５７】
本体１１は、内部にガイド及び回動本体３０のガイド凸部３９に対応する平らなガイド凹部１５とガイド凹部１５の一側に形成された一対の耳部１３を含む。一対の耳部１３は相互間に離隔して形成され、それらの間にはランプ安着部１２０が一体で形成されるが、耳部１３とランプ安着部１２０との間には結合溝１１３が形成されており、ランプ安着部１２０の中央には回動長孔１７が形成されている。
【００５８】
また、ガイド凹部１５の上部面には多数の半円型凸部１９が形成されているので、ガイド凸部３９の底面に形成されたストッパ３９１がストッパ機能を完全に遂行することができるようにする。
【００５９】
蓋１２は、本体１１に結合されるように対応する構造を有する。特に、耳部１３の周辺に形成された結合溝１１３に挿入されて結合されるように、蓋１２の一側に結合凸部１１５が一体で形成されている。
【００６０】
ランプ部７０のランプ収容本体７１の両側には第１回動固定片７８１が形成されており、ボス７７の両側には溝７７３が形成されている。ランプ収容本体７１には多数のＬＥＤ７３が装着された回路基板７９が内蔵され、ランプ収容本体７１の前面にはレンズ７５が装着される。
【００６１】
レンズ７５の両側には第２回動固定片７８３が一体で形成されており、レンズ７５の内面には長く延びて形成された溝７４が多数個形成されている。溝７４は三角溝または半円型溝で構成することができ、必要によって多様な形態の溝で形成されることもできる。
【００６２】
第１回動固定片７８１と第２回動固定片７８３は、相互間に結合されて耳部１３に挿入されて安着される。ボス７７はランプ安着部１２０の回動長孔１７に回動可能に挿入されるが、これに対する具体的な説明は後述する。上記多数の溝７４は、前面の比表面積を拡大してＬＥＤ７３が放出する光をさらに拡散させるための役目をする。
【００６３】
図４は、本発明に係る携帯用電灯の電源及び制御部を詳細に示す図である。  
【００６４】
図４に示すように、電源及び制御部５０はその内部に一般的に使用する乾電池を受容するためのバッテリー収容部５５、電源を充電して使用するための充電部９０、及びバッテリー収容部５５及び充電部９０を通じて電源の供給を受けてランプ部７０を駆動させるための駆動部９５を含む。
【００６５】
充電部９０には充電器と連結される充電用ポート９１が設置されており、駆動部９５にはランプ作動スイッチ８０が連結されている。
【００６６】
図５は、本発明に係る携帯用電灯のランプ部の作動を詳細に示す図である。  
【００６７】
図５に示すように、ランプ部７０のボス７７はランプ安着部１２０の回動長孔１７に挿入されるが、回動長孔１７の両側の内壁には多数の半円型凸部１７３が形成されているので、ボス７７の溝７７３と噛み合うことになる。
【００６８】
したがって、（ａ）でのように、ボス７７の溝７７３がガイド板３７側に隣接するように位置した半円型凸部１７３と結合されていると、ランプ部７０は電灯の外側に開けられた状態となって、発光する光を外側に発散することになる。
【００６９】
また、（ｂ）でのように、ランプ部７０を若干回転させて、ボス７７の溝７７３が真中の半円型凸部１７３に結合されていると、ランプ部７０は電灯の中央側に光を発光させることになる。
【００７０】
最後に、（ｃ）でのように、ランプ部７０をさらに回転させて、ボス７７の溝７７３がガイド板３７側から最も遠くに位置した半円型凸部１７３と結合されていると、ランプ部７０は電灯の内側に狭まった状態となって発光する光を内側に発散することになる。
【００７１】
図６は、本発明に係る携帯用電灯のスライディング動作を示す図である。  
【００７２】
図６を参照すると、ランプ部７０が装着されたスライド組立部１０を外側に押すと、スライド組立部１０はガイド及び回動本体３０に対して外側にスライディングすることになり、この際、ガイド凸部３９に形成されたストッパ３９１がガイド凹部１５に形成された半円型凸部１９を乗り越えながら、使用者がスライディングを止めると、ストッパ３９１は半円型凸部１９により止めることになり、これ以上スライディングできなくなる。
【００７３】
したがって、使用者はランプ部７０を希望する位置まで調整して光を照らすことができる。  
【００７４】
逆に、使用者がスライド組立部１０を内側に押すと、同一な作動によりスライド組立部１０はガイド及び回動本体３０に対して内側にスライディングする。
【００７５】
図７は、本発明に係る携帯用電灯の回動動作を示す図である。  
【００７６】
図７を参照すると、使用者がランプ部７０が装着されたスライド組立部１０をつかんで上方に回動させると、スライド組立部１０は電源及び制御部５０に対して回動軸８５を中心に回動することになると、適切な角度で使用者が手を放すと、回動軸８５と回動凸部３１の凹溝３３との間に設置された環状リング８６によりその角度で止めることになる。
【００７７】
この際、環状リング８６はゴムやシリコン材質で形成されるため、摩擦力が大きくてスライド組立部１０が一定角度で止めることができる。  
【００７８】
また、使用者が読書をする場合に、読書用クリップ８３を本の上段に挟んだ後に使用すれば、より便利である。
【００７９】
図８は、本発明の他の実施形態に係る携帯用電灯であって、電源及び制御部とガイド及び回動本体との結合構造を異なるように構成したことを除いては、前述した本発明の一実施形態に係る携帯用電灯と同一である。したがって、同一な構成要素に対する具体的な説明は省略する。
【００８０】
図８に示すように、本発明の他の実施形態に係る携帯用電灯は、電源及び制御部５００とガイド及び回動本体３００を含む。  
【００８１】
電源及び制御部５００は、その一側端の両側に一対のヒンジ凸部５２０が一体で形成され、上記各々のヒンジ凸部５２０には結合ホール５２５が形成されている。
【００８２】
上記一対のヒンジ凸部５２０の間にはゴムやシリコン材質で形成された補助ストッパ５３０が付着されている。  
【００８３】
補助ストッパ５３０は、ガイド及び回動本体３００が回動する時、摩擦力を提供して一定の角度で止めることができるようにする機能をする。
【００８４】
電源及び制御部５００にはガイド及び回動本体３００が回動可能に設置される。  
【００８５】
ガイド及び回動本体３００は、ガイド板３２０と一対のヒンジ凸部５２０との間に装着される回動部３２０を具備する。
【００８６】
回動部３２０は、その一側壁に環状溝３３５が形成されており、その外周面に回動制限溝３３３が形成されている。回動部３２０は、その内部が中空部で形成される。環状溝３３５にはゴム材質からなる環状リング５７０が挿入される。
【００８７】
回動制限溝３３３は、補助ストッパ５３０が受容されているので、補助ストッパ５３０との相互作用により一定角度以上は越えないようにする役目をする。
【００８８】
また、ガイド及び回動本体３００の回動部３２０を電源及び制御部５００の一対のヒンジ凸部５２０に安着させた状態で、結合掛止具５５０をヒンジ凸部５２０の結合ホール５２５を通じて回動部３２０まで挿入して結合させると、ガイド及び回動本体３００が電源及び制御部５００に回動可能に結合される。
【００８９】
この際、環状溝３３５に挿入されたゴム材質の環状リング５７０も摩擦力を提供してストッパ機能をする。  
【００９０】
また、結合掛止具５５０は中空部を有するものであって、結合掛止具５５０、ヒンジ凸部５２０、及び回動部３３０を貫通させて首輪６００を装着して使用することもできる。
【００９１】
本発明の多様な実施形態に係る携帯用電灯は、使用者の要求によって多様な機能を付加することができるが、例えば次の通りである。
【００９２】
本発明に係る携帯用電灯は、一般用乾電池を使用することもでき、充電して使用することもできる。また、各種モバイル製品（携帯電話、ＭＰ３、ＰＭＰ、デジタルカメラ、デジタルビデオ）と連結されて緊急に電源を充電させることもでき、それらの製品から充電を受けることもできる。
【００９３】
また、本発明に係る携帯用電灯は、適切な位置に掛止具を具備して、首輪形態で掛かって使用することができ、読書の他にもキャンプ、登山、釣り、自動車補助灯、警光灯、スタンド、緊急救助のように、多用途に使用することができる。
【００９４】
また、警告音を発生させて夜道や緊急救助要請のための護身用製品でも使用することができる。
【図面の簡単な説明】
【００９５】
【図１】本発明の一実施形態に係る携帯用電灯の前面斜視図。
【図２】図１の後面斜視図。
【図３】本発明の一実施形態に係る携帯用電灯の分解斜視図。
【図４】本発明の一実施形態に係る携帯用電灯の電源及び制御部を詳細に示す図。
【図５】本発明の一実施形態に係る携帯用電灯のランプ部の作動を詳細に示す図。
【図６】本発明の一実施形態に係る携帯用電灯のスライディング動作を示す図。
【図７】本発明の一実施形態に係る携帯用電灯の回動動作を示す図。
【図８】本発明の他の実施形態に係る携帯用電灯を示す分解斜視図。
【符号の説明】
【００９６】
１０…スライド組立部、
１１…本体、
１１３…結合溝、
１１５…結合凸部、
１２…蓋、
１２０…ランプ安着部、
１３…耳部、
１５…ガイド凹部、
１７…回動長孔、
１７３…半円型凸部、
１９…半円型凸部、
３０、３００…ガイド及び回動本体、
３１…回動凸部、
３３…凹溝、
３７…ガイド板、
３８…スリット、
３９…ガイド凸部、
３９１…ストッパ、
５０…電源及び制御部、
５１…蓋、
５３…軸挿入部、
５５…バッテリー収容部、
７０…ランプ部、
７１…ランプ収容本体、
７３…ＬＥＤ、
７４…溝、
７５…レンズ、
７７…ボス、
７７３…溝、
７８１…第１回動固定片、
７８３…第２回動固定片、
７９…回路基板、
８０…ランプ作動スイッチ、
８５…回動軸、
８６…環状リング、
９０…充電部、
９１…充電用ポート、
９５…駆動部、
３００…ガイド及び回動本体、
３２０…ガイド板、
３３０…回動部、
３３３…回動制限溝、
３３５…環状溝、
５００…電源及び制御部、
５２０…ヒンジ凸部、
５２５…結合ホール、
５３０…補助ストッパ、
５５０…結合掛止具、
５７０…環状リング、
６００…首輪。
【図１】
2009512155.tif 000003
【図２】
2009512155.tif 000004
【図３】
2009512155.tif 000005
【図４】
2009512155.tif 000006
【図５】
2009512155.tif 000007
【図６】
2009512155.tif 000008
【図７】
2009512155.tif 000009
【図８】
2009512155.tif 000010
【国際調査報告】
2009512155.tif 000011
2009512155.tif 000012